(57)【特許請求の範囲】
【請求項１】
炊飯時に炊飯釜を加熱する炊飯加熱器と、保温時に前記炊飯釜を加熱する保温加熱器とを具備し、
米飯の炊飯終了後、前記保温加熱器によって米飯を約７０℃に保温する一方、前記保温加熱器による保温が開始されるまでに長時間保温スイッチを入れると、前記炊飯加熱器を、前記保温を開始してから所定時間後の再加熱時刻に一時的に作動させ、米飯を８０℃〜１１０℃の温度範囲内で再加熱する米飯の保温方法において、
前記長時間保温スイッチを入れた時間が前記保温加熱器による保温を開始してから前記再加熱時刻以前であれば再加熱時刻に前記炊飯加熱器による再加熱を行い、前記再加熱時刻以後であれば直ちに前記再加熱を行うことを特徴とする米飯の保温方法。
【請求項２】
請求項１に記載の米飯の保温方法において、
前記再加熱時刻は、保温を開始してから６〜８時間後であることを特徴とする米飯の保温方法。
【請求項３】
請求項１または２に記載の米飯の保温方法において、
前記再加熱をしてから約４時間毎に２回、前記炊飯加熱器による再加熱を行うことを特徴とする米飯の保温方法。
【請求項４】
炊飯時に炊飯釜を加熱する炊飯加熱器と、保温時に前記炊飯釜を加熱する保温加熱器とを具備する炊飯器において、
前記保温加熱器を、炊飯終了後の米飯を約７０℃に保温するように作動制御する保温加熱器制御部と、
前記炊飯加熱器を、前記保温加熱器による保温を開始してから所定時間後の再加熱時刻に一時的に作動させ、米飯を８０℃〜１１０℃の温度範囲内で再加熱するように作動制御する炊飯加熱器制御部と、
前記炊飯加熱器による前記再加熱動作を行わせるための長時間保温スイッチと、
炊飯終了時刻を記憶させる記憶部と、
前記長時間保温スイッチを入れた時間が前記記憶部における炊飯終了時刻から起算して前記再加熱時刻以前であれば再加熱時刻に前記炊飯加熱器に再加熱動作を行わせ、前記再加熱時刻以後であれば直ちに前記再加熱動作を行わせる保温制御部とを備えたことを特徴とする炊飯器。
【請求項５】
請求項４に記載の炊飯器において、
前記再加熱時刻は、保温を開始してから６〜８時間後であることを特徴とする炊飯器。
【請求項６】
請求項４または５に記載の炊飯器において、
前記保温制御部は、前記再加熱をしてから約４時間毎に２回、前記炊飯加熱器による再加熱動作を行わせることを特徴とする炊飯器。
【発明の詳細な説明】
【０００１】
【発明の属する技術分野】
本発明は、米飯の保温方法および炊飯器の技術分野に属し、例えば、通常の保温が開始された後に長時間保温機能がセットされた場合でも１８時間、２４時間等の長時間にわたり米飯中の好熱性バチルス菌の増殖を抑制し黄変や異臭等の発生を防止するものである。
【０００２】
【従来の技術】
最近の炊飯器は、炊飯時に炊飯釜を加熱する加熱器とは別に、炊き上がった米飯を炊飯釜内で一定の温度に保温して長時間にわたり温かい米飯を提供できるように電気ヒータやハロゲンランプ等による保温加熱器を備える。そして、近年、ライフスタイルの多様性から、このような炊飯器として、いつでも美味しい米飯が食べられるように１８時間、さらには２４時間の長時間保温機能が求められるようになってきた。これまでの知見から、美味しく感じる米飯の最適温度は、炊き上がり直後の９０℃以上であるが、保温温度が高ければ高い程、米飯の乾燥が顕著に認められるため、通常は保温温度を７０℃程度まで下げている。
【０００３】
【発明が解決しようとする課題】
しかしながら、前記保温加熱器によって米飯の保温温度を７０℃程度に保っていると、米に混入している好熱菌（好熱性バチルス菌）が増殖し、保温開始から１４〜１５時間後には前記好熱性バチルス菌の増殖によって米飯から異臭を放ってくる。この好熱性バチルス菌は、炊飯温度の約１００℃では死滅せず、炊飯器の保温温度である６０℃〜７０℃で増殖する。また、この好熱性バチルス菌は、胞子型と栄養型とが存在し、８０℃以上にすると栄養型の形態にある好熱性バチルス菌は減少するが、胞子型として生き残る。そのため、保温温度が６０〜７０℃になると、この胞子が再び発芽し栄養型となって増殖する。しかも、この好熱性バチルス菌は、増殖するにつれて生菌数の約１０％という高い割合で胞子型を順次形成する。また、栄養型の好熱性バチルス菌が米飯中で増殖し、その生菌数が約１０7個／ｇ以上となると異臭を放ってくる。そのため、炊飯終了後１８時間、さらには２４時間の長時間にわたり米飯を保温するには前記好熱性バチルス菌の増殖を抑制するような温度管理が必要であった。
【０００４】
特開平９−２７６１３４号公報においては、米飯の保温を開始してから約５時間後に炊飯器の加熱器を作動させ、炊飯釜内の米飯を８０℃以上に再加熱することにより、栄養型にある好熱性バチルス菌の増殖を抑制させる保温方法が提案された。これは、米に混入していた前記好熱性バチルス菌が、炊飯直後に約７０℃で保温を開始した場合に約５時間経過後から増殖が始まることに対応したものである。また、同公報には、米飯の保温を開始してから約５時間毎に炊飯器の加熱器を作動させる保温方法も提案されている。このように保温米飯中の好熱性バチルス菌が増殖し始める時点で再加熱することにより、米飯の長時間保温において好熱性バチルス菌の増殖が抑制されて米飯からの異臭や黄変を防止させることができた。
【０００５】
しかしながら、前記公報に記載のものにおいて、保温を開始してから５時間後に１回だけ加熱器を作動させるものでは、１８時間の長時間保温を考えると、再加熱による米飯の乾燥は防止できるが、保温を開始してから１８時間目くらいでは前記好熱性バチルス菌の増殖による異臭や黄変を十分に防止できなかった。
【０００６】
また、保温を開始してから５時間毎に加熱器を作動させるものでは、２４時間保温を考えた場合に加熱器によって５時間目、１０時間目、１５時間目および２０時間目の４回再加熱されるから、炊飯釜内の米飯の乾燥が進み、特に炊飯釜内の底部では米飯の乾燥が顕著でぱりぱりに堅くなることもあった。また、省エネを考えると前記加熱器による加熱回数は少ない程良いが、このものでは２４時間保温を実現するためには再加熱を４回以下にすることはできない。
【０００７】
一方、前記のような長時間保温機能は、一般に、炊飯開始前に長時間保温スイッチを入れることによりセットされるが、遅くとも保温を開始するまでにセットされてあれば、この長時間保温機能が働く保温動作と同時にタイマーを作動させ、このタイマーにより時間を計測して保温開始時点から所定時間経過した後に加熱器が作動されるものである。
【０００８】
しかしながら、炊飯を完了して保温が開始された後に、前記長時間保温スイッチが入れられる場合がある。例えば、食事した後に多くの米飯が残ってしまったり、炊飯したもののしばらくの間は食べないという状況になった場合に、保温を開始した後に前記長時間保温スイッチが入れられることがある。このような場合は、長時間保温スイッチが入れられた時点で長時間保温機能が働き出すから、この長時間保温スイッチが入った時点からタイマーが駆動されて所定時間経過した後に前記加熱器を作動させることとなる。そのため、保温を開始してからの前記所定時間をかなりオーバーした時刻で加熱器が作動することとなるから、すでに米飯中の好熱性バチルス菌の増殖が進行し、最悪の場合、１８時間目、２４時間目の時点で異臭を放つ程に増殖していることがある。
【０００９】
本発明は、『炊飯時に炊飯釜を加熱する炊飯加熱器と、保温時に前記炊飯釜を加熱する保温加熱器とを具備』するものにおいて、保温が開始された後に長時間保温機能がセットされた場合であっても、長時間にわたり美味しい米飯が食べられるように保温することをその課題とする。
【００１０】
【課題を解決するための手段】
前記課題を解決するために講じた技術的手段は、次のようである。
【００１１】
米飯の保温方法として、『米飯の炊飯終了後、前記保温加熱器によって米飯を約７０℃に保温する一方、前記保温加熱器による保温が開始されるまでに長時間保温スイッチを入れると、前記炊飯加熱器を、前記保温を開始してから所定時間後の再加熱時刻に一時的に作動させ、米飯を８０℃〜１１０℃の温度範囲内で再加熱する米飯の保温方法において、
前記長時間保温スイッチを入れた時間が前記保温加熱器による保温を開始してから前記再加熱時刻以前であれば再加熱時刻に前記炊飯加熱器による再加熱を行い、前記再加熱時刻以後であれば直ちに前記再加熱を行うことを特徴とする。』ここで、前記長時間保温スイッチによる長時間保温は、炊飯終了後、１８時間〜２４時間にわたり米飯を保温することをいう。
【００１２】
前記技術的手段は、次のように作用する。
【００１３】
前記長時間保温スイッチを入れた時間が前記保温加熱器による保温を開始してから前記再加熱時刻以前であれば再加熱時刻に前記炊飯加熱器による再加熱を行う。これにより、前記再加熱は、前記長時間保温スイッチを入れてからの所定時間後に行われることなく、保温加熱器による保温を開始してから所定時間後の再加熱時刻に行われるから、米飯中の好熱性バチルス菌の増殖が最も盛んになる時間帯にあわせて再加熱することができる。
【００１４】
また、前記長時間保温スイッチを入れた時間が前記保温加熱器による保温を開始してから前記再加熱時刻以後であれば直ちに前記炊飯加熱器による再加熱を行う。これにより、前記再加熱は、米飯中の好熱性バチルス菌の増殖が最も盛んになる時間帯から大幅に遅れることなく前記時間帯に近い時刻で再加熱することができる。
【００１５】
このように、前記長時間保温スイッチを入れた時間に関係なく、米飯中における好熱性バチルス菌の胞子の発芽が盛んになる時間帯、あるいは、この時間帯に近い時刻で再加熱するから、当該好熱性バチルス菌に対する増殖抑制効果が大きい。
【００１６】
また、前記炊飯加熱器の再加熱時における加熱温度と加熱時間との関係は、炊飯釜内の米飯を８０℃〜１１０℃の温度範囲内で１秒〜５分間とする。これは、胞子型にある好熱性バチルス菌は、炊飯温度の１００℃、約２０分の加熱でもその数を維持しているが、異臭や黄変の原因となる栄養型の好熱性バチルス菌は、その加熱温度が８０℃以上になると数が減少するから、米飯中から異臭や黄変をもたらす好熱性バチルス菌の増殖を確実に抑制することができる。また、米飯の加熱温度の上限を１１０℃以下とするから、米飯の乾燥を抑制でき、特に炊飯釜内底部の米飯がぱりぱりに乾燥し堅くなってしまうようなこともない。さらに、加熱時間を１秒〜５分間とするのは、１秒間の加熱でも前記栄養型の好熱性バチルス菌を減少させることができる一方、５分間以内の加熱であれば米飯の乾燥を進めることもない。そして、炊飯加熱器の作動を停止するとほぼ１時間半以内に保温温度の約７０℃まで低下する（図４参照）。このことから、米飯が乾燥する程の余分な熱が加わらずに好熱性バチルス菌へのダメージに必要な加熱ができる。
【００１７】
そして、炊飯器として、『前記保温加熱器を、炊飯終了後の米飯を約７０℃に保温するように作動制御する保温加熱器制御部と、
前記炊飯加熱器を、前記保温加熱器による保温を開始してから所定時間後の再加熱時刻に一時的に作動させ、米飯を８０℃〜１１０℃の温度範囲内で再加熱するように作動制御する炊飯加熱器制御部と、
前記炊飯加熱器による前記再加熱動作を行わせるための長時間保温スイッチと、
炊飯終了時刻を記憶させる記憶部と、
前記長時間保温スイッチを入れた時間が前記記憶部における炊飯終了時刻から起算して前記再加熱時刻以前であれば再加熱時刻に前記炊飯加熱器に再加熱動作を行わせ、前記再加熱時刻以後であれば直ちに前記再加熱動作を行わせる保温制御部とを備えた』ものでは、米飯の保温時に前記保温制御部によって炊飯加熱器を作動制御することにより、前記保温方法と同様の作用を奏する。
【００１８】
前記技術的手段において、『前記再加熱時刻は、保温を開始してから６〜８時間後である』ものでは、米飯の保温を開始してから６〜８時間後、あるいは、この時間後の長時間保温スイッチを入れた時点に炊飯加熱器が作動する。前記６〜８時間後とするのは、米飯の保温時に黄変や異臭を発生させる原因菌の好熱性バチルス菌が、米飯の保温に適した７０℃くらいで発芽、増殖し、この好熱性バチルス菌の増殖が最も盛んになる６〜８時間（図５参照）の時間帯にあわせたものである。
【００１９】
また、前記６〜８時間後に長時間保温スイッチを入れた場合は直ちに炊飯加熱器による再加熱動作が行われるから、再加熱が前記時間帯より大きく遅れることはない。よって、この場合、１８時間保温を考えると、好熱性バチルス菌の増殖が始まる５時間後に加熱器を作動させる従来（特開平９−２７６１３４号公報）のものと比べて、好熱性バチルス菌の胞子の発芽が盛んになる時間帯で再加熱するから、当該好熱性バチルス菌に対する増殖抑制効果が大きい。
【００２０】
そして、前記炊飯器において、『前記再加熱時刻は、保温を開始してから６〜８時間後である』ものでも、この保温方法と同様の作用を奏する。
【００２１】
前記技術的手段において、『前記再加熱をしてから約４時間毎に２回、前記炊飯加熱器による再加熱を行う』ものでは、１回の再加熱でも生存している胞子型の好熱性バチルス菌がその後次々と発芽、増殖する時間帯にあわせてさらに４時間毎に再加熱するから、２４時間にわたり栄養型にある好熱性バチルス菌の生菌数を効果的に減少させることができる（図５参照）。そして、最後の再加熱である３回目の加熱時点から２４時間目までは前記４時間以上の時間間隔があるが、前記３回の再加熱によって米飯中における全好熱性バチルス菌の個数が減少するから、２４時間目の時点においても好熱性バチルス菌が異臭等を放つ程の個数に増殖することはない。
【００２２】
また、次の再加熱は、１回目の再加熱から約４時間毎に２回行うだけであり、炊飯加熱器による再加熱が３回で済む。このように次の再加熱は約４時間毎に２回再加熱するから、２４時間保温に際しては炊飯加熱器による再加熱が３回で済むため、従来方法（特開平９−２７６１３４号公報）の５時間毎に４回再加熱するものと比べ、再加熱１回分の省エネとなると共に、米飯の乾燥も抑えられる。
【００２３】
なお、前記２回目、３回目の再加熱は、前回の再加熱の開始時から終了時のいずれかの時点から約４時間毎に行えば良い。
【００２４】
そして、前記炊飯器において、『前記保温制御部は、前記再加熱をしてから約４時間毎に２回、前記炊飯加熱器による再加熱動作を行わせる』ものでも、前記保温方法と同様の作用を奏する。
【００２５】
【発明の効果】
本発明によれば、保温が開始された後に長時間保温機能がセットされた場合でも、米飯の保温中に好熱性バチルス菌の発芽、増殖が最も盛んになる時点で炊飯加熱器を動作させるから、前記長時間保温スイッチを入れた時間に関係なく、米飯中の好熱性バチルス菌の増殖を効果的に抑制することができ、その結果、炊飯終了後長時間にわたり美味しい米飯が食べられるようになる。
【００２６】
【発明の実施の形態】
以下に、本発明の実施の形態について図面を参照しながら説明する。
実施の形態１．
図１は、本発明の実施の形態１によるガス炊飯器の構成を示す断面図である。図１に示すように、実施の形態１によるガス炊飯器１は、米等を収容して加熱調理する炊飯釜２と、この炊飯釜２を収容する外容器３と、前記外容器３に開閉可能に取付けられた蓋体４と、前記炊飯釜２の底部下方に設けられる炊飯加熱器としてのガス加熱器５と、このガス加熱器５を構成するガスバーナ６を囲むようにして設けられる電気ヒータ７と、炊飯釜２の底面に接触するように設けられた温度センサ８とを備える。また、前記ガスバーナ６の近傍には、点火装置９が配置されており、上部には炊飯を実行させる炊飯スイッチ１６と、炊飯終了後に長時間の保温を実行させる長時間保温スイッチ１７とが配置されている。
【００２７】
前記ガス加熱器５及び電気ヒータ７は、マイクロコンピュータを備える制御装置１０によって作動が制御される。この制御装置１０は、炊飯制御部１１と、保温加熱器制御部１２と、ガス加熱器制御部１３と、炊飯終了時刻を記憶するメモリ１４と、保温制御部１５とを備える。
【００２８】
前記炊飯制御部１１によって、設定された炊飯パターンに従って前記ガス加熱器５の作動を制御して、点火時期、消火時期、火力等をコントロールしながら炊飯動作を行う。
【００２９】
前記保温加熱器制御部１２によって、炊飯動作終了後、前記電気ヒータ７を作動制御して、炊飯釜２内を一定温度に保温制御する。本実施の形態１においては、保温温度を約７０℃に設定している。
【００３０】
前記ガス加熱器制御部１３によって、前記ガス加熱器５を、前記電気ヒータ７による保温を開始してから所定時間後の再加熱時刻に一時的に作動させ、米飯を８０℃〜１１０℃の温度範囲内で再加熱するように作動制御する。本実施の形態１においては、前記所定時間を７時間に設定している。
【００３１】
前記保温制御部１５によって、前記長時間保温スイッチ１７を入れた時間が前記メモリー１４における炊飯終了時刻から起算して前記再加熱時刻以前であれば再加熱時刻に前記ガス加熱器５に再加熱動作を行わせ、前記再加熱時刻以後であれば直ちに前記再加熱動作を行わせる。
【００３２】
なお、本実施の形態１では、保温加熱器として、前記電気ヒータ７を用いるが、ハロゲンランプ等他熱源を採用しても良い。
【００３３】
次に、本実施の形態１によるガス炊飯器１の保温動作を説明する。
【００３４】
図２は、保温動作開始後の制御の流れを示したフローチャートである。
【００３５】
本実施の形態１においては、炊飯動作を行う際に、炊飯釜２内が所定の温度に達する加熱時間等から米量を検出し、これを保温動作時の情報として利用する。この米量検出は、前記制御装置１０の炊飯制御部１１が行う。まず、炊飯動作を終了した後、保温動作に入る。この保温は、前記保温加熱器制御部１２において温度センサ８によって炊飯釜２の底部の温度を検出しながら電気ヒータ７に間欠的に通電して、炊飯釜２内を約７０℃に保持する。なお、この電気ヒータ７による保温は、以下に説明するガス加熱器５の動作中においても有効に働いている。
【００３６】
図２に示すように、保温動作に入ると制御装置１０内のメモリー１４に炊飯終了時刻を記憶させ（Ｓ１０１）、次いで前記保温制御部１５において長時間保温スイッチ１７がＯＮされたか否かを監視する（Ｓ１０２）。長時間保温スイッチ１７がＯＮされると、前記メモリー１４において記憶させた炊飯完了時刻から起算して７時間が経過したか否かを判別する（Ｓ１０３）。まだ７時間が経過していない場合は前記ステップＳ１０３の監視動作を繰り返し、７時間が経過するまで待機状態が続く。そして、この待機状態を続けながら保温を開始してから７時間が経過するか、前記ステップＳ１０２で長時間保温スイッチ１７がＯＮされた時点で既に７時間が経過していると、保温制御部１５にてガス加熱器５を作動させて炊飯釜２の温度を急激に上昇させる。このとき、本実施の形態１においては、まず、炊飯制御部１１が炊飯動作で検出した米量に応じて、ガス加熱器制御部１３によって加熱時間を決定する（Ｓ１０４，Ｓ１０５）。その後、ガス加熱器５を作動させて（Ｓ１０６，Ｓ１０７，Ｓ１０８）、米量「小」の場合には１分間加熱し（Ｓ１０９）、米量「中」の場合には２分間加熱し（Ｓ１１０）、米量「大」の場合には３分間加熱するように制御する（Ｓ１１１）。本実施の形態１では、この米量が「大」の場合を説明し、また、長時間保温スイッチ１７は保温を開始してからまだ７時間経過していないときにＯＮされて、しばらく待機して保温開始から７時間後に再加熱された場合とする。すると、米飯温度は、米飯上部が約８５℃で、米飯下部（炊飯釜２の底付近）が約１００℃となり（図４の７時間目参照）、炊飯釜２内の米飯の温度は８０℃〜１１０℃の範囲になる。このときの米飯中における好熱性バチルス菌の生菌数は、再加熱直前に約１０4個／ｇであったものが、再加熱により１００個／ｇ以下に減少する（図５の７時間目参照）。
【００３７】
なお、米量「小」および「中」の場合にも、各々の加熱時間によって米飯の温度が８０℃〜１１０℃の範囲内となるように構成している。このように保温時の米飯の温度を８０℃〜１１０℃の範囲内とするのは、１１０℃を超えると、炊飯釜２内の米飯の下部の方ではぱりぱりに乾燥し、一方、８０℃未満であれば、米飯中に混入し異臭や黄変の原因となる栄養型の好熱性バチルス菌を減少させることができない。すなわち、好熱性バチルス菌の生菌数を減少させて、増殖の停止時間を長くするには、米飯の加熱温度を高めるとともに、その加熱温度に保持する時間を長く設定するのが望ましい。しかしながら、米飯の加熱温度が高すぎたり、加熱時間が長すぎると、米飯の乾燥を早め、却って食味を低下させることになる。一方、米飯からの異臭や黄変を防止するには、栄養型にある好熱性バチルス菌の生菌数を少なくとも１０6個／ｇ以下に減少させれば足りる。したがって、米飯の温度を８０℃まで上昇させて、前記好熱性バチルス菌の生菌数を減少させれば、米飯からの異臭や黄変を停止することができる。また、加熱時間も１秒〜５分間で好熱性バチルス菌の生菌数を減少させることが期待できる。特に本実施の形態１の如くガス加熱器５によると、電気加熱に対するガス加熱の特性として、ガス火によると短時間で設定温度に昇温することができ、例えば、３分間の加熱によって最も熱の加わりやすい炊飯釜内底部の米飯で約１００℃まで昇温し、熱の加わりにくい米飯上部で約８５℃まで昇温する（図４参照）。これにより、米飯中から異臭や黄変をもたらす好熱性バチルス菌の増殖を抑制することができる。このことから、米飯が乾燥する程の余分な熱が加わらずに好熱性バチルス菌へのダメージに必要な加熱ができる。
【００３８】
そして、前記ガス加熱器５による再加熱が所定時間（本例では、３分間）経過すると（Ｓ１１１）、ガスバーナ６を消火してガス加熱器５の作動を終了させる（Ｓ１１２）。また、ガス加熱器５の作動を終了させた後、前記メモリー１４の記憶を消去し（Ｓ１２２）、電気ヒータ７による通常の保温動作に戻る。すると、ガス加熱器５による再加熱を終了して約１時間半経過後の８時間半経過時点には炊飯釜２内の米飯が約７０℃に保持される。
【００３９】
以上のように、本実施の形態１においては、７０℃保温によって米飯中の好熱性バチルス菌の胞子の発芽が最も盛んになる７時間目の時間帯にあわせてガス加熱器５を作動させるから、１８時間保温を考えると、好熱性バチルス菌の増殖が始まる５時間後に加熱器を作動させる従来（特開平９−２７６１３４号公報）のものと比べて、保温米飯の乾燥を防止し、且つ、保温開始後１８時間は栄養型の好熱性バチルス菌の増殖を抑えて異臭や黄変の問題も生じさせることはない。
【００４０】
また、本実施の形態１では、長時間保温スイッチ１７が保温を開始してからまだ７時間経過していないときにＯＮされた場合を示すが、すでに７時間経過していた場合であっても直ちに前記ガス加熱器５による再加熱を行うから、再加熱は、米飯中の好熱性バチルス菌の増殖が最も盛んになる時間帯より大きく遅れることなく前記時間帯に近い時刻で再加熱することができる。このように、前記長時間保温スイッチ１７を入れた時間に関係なく、米飯中における好熱性バチルス菌の胞子の発芽が盛んになる時間帯、あるいは、この時間帯に近い時刻で再加熱するから、当該好熱性バチルス菌に対する増殖抑制効果が大きい。その結果、炊飯終了後１８時間の長時間にわたり美味しい米飯が食べられるようになる。
実施の形態２．
２４時間保温を考えると、１回の再加熱でも生存している胞子型の好熱性バチルス菌がその後に次々と発芽、増殖するため、その時間帯にあわせて再加熱し、これにより、２４時間にわたり栄養型にある好熱性バチルス菌の生菌数を減少させる必要がある。
【００４１】
本実施の形態２によるガス炊飯器は、前記実施の形態１のものにおいて、前記ガス加熱器制御部１３によって前記１回の再加熱をしてから約４時間毎に２回、前記ガス加熱器５による再加熱を行わせるようにしたものである。また、このガス炊飯器１は、保温時間を計測するためのタイマーを備えている（図示せず）。なお、その他の構成は前記実施の形態１のものと同様である。
【００４２】
次に、本実施の形態２によるガス炊飯器の保温動作を説明する。
【００４３】
図３は、保温動作開始後の制御の流れを示したフローチャートである。図４は、炊飯釜２の再加熱を３分間行った場合の温度変化を示し、実線は炊飯釜２内の米飯下部の温度変化、鎖線は炊飯釜２内の米飯上部の温度変化をそれぞれ示している。図５は、再加熱による好熱性バチルス菌の生菌数（個／ｇ）の変化を示している。
【００４４】
図３に示すように、保温動作に入ると、図２に示す実施の形態１の場合と同様にステップＳ１０１〜Ｓ１１２の動作が行われ、長時間保温スイッチ１７をＯＮした時間が保温を開始してから７時間経過していなければ待機して７時間経過した時点でガス加熱器５を動作させ、また、長時間保温スイッチ１７をＯＮした時間が保温を開始してからすでに７時間経過していれば直ちにガス加熱器５を動作させ、１回目の再加熱が行われる。ただし、本実施の形態２では、前記再加熱の開始時にタイマーを作動させる（Ｓ１０３ａ）。
【００４５】
次に、２回目の再加熱として、前記タイマーで計測している時間を監視し、１回目の再加熱を開始してから４時間が経過すると（Ｓ１１３）、再びガス加熱器５を作動させて炊飯釜２の温度を急激に上昇させる（Ｓ１１４）。このときの加熱時間として、前記１回目の再加熱のときと同じく３分間作動させる（Ｓ１１５）。本例では、前記１回目の再加熱が保温を開始してから７時間目に行われた場合とし、よって、この２回目の再加熱は保温を開始してから１１時間目に行われたこととなる。すると、図４中、１１時間目の米飯温度を見ると、７時間経過時点の１回目の再加熱のときと同様に、炊飯釜２内の米飯は、８０℃〜１１０℃の温度範囲内に昇温される。このとき、米飯中の好熱性バチルス菌は、図５中の１１時間目付近を見ると、１回目の再加熱終了後から徐々に増殖し、この２回目の再加熱直前には１０3個／ｇ近くに増えていたが、再加熱によって再び１０個／ｇ以下に減少したことが判る。この２回目の再加熱が所定時間（本例では３分間）経過すると（Ｓ１１５）、ガス加熱器５の作動を終了させ（Ｓ１１６）、通常の保温動作に戻る。
【００４６】
さらに、３回目の再加熱として、前記タイマーで計測している時間を監視し、１回目の再加熱を開始してから８時間が経過すると（Ｓ１１７）、再びガス加熱器５を作動させて炊飯釜２の温度を急激に上昇させる（Ｓ１１８）。このときの加熱時間として、前記１回目の再加熱のときと同じく３分間作動させる（Ｓ１１９）。この３回目の再加熱は、前記１回目の再加熱が保温を開始してから７時間目に行われるので、保温を開始してから１５時間目となる。すると、図４中、７時間経過時点の１回目の再加熱、それから４時間後の１１時間経過時点の２回目の再加熱のときと同様に、炊飯釜２内の米飯は、８０℃〜１１０℃の温度範囲内に昇温される。これにより、米飯中の好熱性バチルス菌は、図５中、１５時間目付近を見ると、２回目の再加熱終了後から徐々に増殖し、この３回目の再加熱直前には１０2個／ｇ近くに増えていたが、再加熱によって１０個／ｇ以下に減少したことが判る。そして、この３回目の再加熱が所定時間（本例では３分間）経過すると（Ｓ１１９）、ガス加熱器５の作動を終了させる（Ｓ１２０）。その後、この３回目の再加熱として、ガス加熱器５の作動を終了させた後は、タイマーをＯＦＦし（Ｓ１２１）、続いて炊飯完了時間を記憶したメモリー１４の記憶も消去して（Ｓ１２２）、電気ヒータ７による通常の保温動作に戻る。
【００４７】
このようにして炊飯終了後２４時間保温した米飯の２４時間目のものについて評価したところ、堅くなっていたり、炊飯釜２の底にくっつく等の不具合も見られなかった。しかも、米飯のにおい、色、味のいずれも特に気にかかる点はなかった。この点は好熱性バチルス菌の生菌数が約１０7個／ｇ以上になると異臭等を放つが、本例の場合、図５中の２４時間目を見ると、１０個／ｇ程度であったことからも米飯の品質保持が裏付けられる。
【００４８】
以上のように、本実施の形態２においては、炊飯終了後、保温を開始してから長時間にわたって米飯の乾燥を抑えつつ、好熱性バチルス菌の増殖を阻止して、米飯からの異臭や黄変の発生を防止できる。また、米飯中では好熱性バチルス菌の増殖に伴ってその生菌数の約１０％が胞子型となって存在しており、この胞子型のものが次々と発芽して栄養型となるから、２回目と、３回目の再加熱の時間間隔を４時間毎とし、１回目の７時間後に比べ短くすることにより、好熱性バチルス菌の急激な増殖を抑制することができる。その結果、２４時間にわたって食味の低下を防止することが可能となる。また、保温中のガス加熱器５による再加熱は、２４時間保温において３回で済み（７時間後、１１時間後、１５時間後）、５時間毎に４回の再加熱が行われる従来方法（特開平９−２７６１３４号公報）と比べ、米飯の乾燥を防止でき、且つ、再加熱１回分の省エネを図ることができる。
【００４９】
なお、前記各実施の形態１，２においては、ガス加熱器５による再加熱時間として、１分間、２分間または３分間とするが、１秒から５分間の間で適宜に決定しても良い。また、１回目の再加熱として、保温を開始してから７時間後をこの１回目の再加熱時刻とするが、６〜８時間後の間で適宜に決定しても良い。
【００５０】
また、前述の如く再加熱時間を規定しているが、米量により炊飯釜２底の米飯が焦げるような場合もあり得るので、再加熱時間内に設定温度（炊飯消火温度、または炊飯消火温度より低い温度たとえば１１０℃）に達した場合は設定温度を優先して、加熱動作を終了させれば良い。
【００５１】
また、米量を大中小の３段階に分けてガス加熱器５の加熱時間を選択するように制御したが、炊飯器の容量、米量、ガス加熱器の容量等に応じてさらに細かく分けたり、あるいは、米量大と小の２段階に分ける等、適宜に決定しても良い。
【００５２】
また、前記のような米量によってガス加熱器５の加熱時間を選択することなく、炊飯釜２内下部の米飯温度が１１０℃に達した時点でガス加熱器５の動作が終了するように制御しても良い。これは、下部の米飯温度が１１０℃に達していれば上部の米飯温度も８０℃以上に達していると推定され、炊飯釜２内の米飯温度としては、全体として８０℃〜１１０℃の範囲内に収まるからである。
【００５３】
また、前記再加熱は、ガス加熱器５を用いているが、この再加熱用に電気ヒータを使用しても良く、この場合、通常保温を行わせていた前記電気ヒータ７と兼用しても良いし、これとは別個に専用の電気ヒータを備え付けても良い。さらには、本例の如くガス炊飯器ではなく、電気炊飯器において適用しても良く、この電気炊飯器の場合は炊飯を行わせる電気ヒータや通常保温を行わせる電気ヒータを前記再加熱に兼用しても良いし、また、別個に再加熱専用の電気ヒータを備え付けても良い。ただし、電気加熱よれば、ガス加熱に比べて昇温速度や米飯に対する熱の廻りの点でやや劣るものの米飯中の好熱性バチルス菌の増殖を抑えるには十分である。
【００５４】
一方、前記実施の形態２においては、２回目、３回目の再加熱時間を１回目と同じ再加熱時間となるように設定しているが、１回目の再加熱のときの炊飯釜２底における最高温度を制御装置１０内等のメモリに一時記憶し、２回目、３回目の再加熱は、この一時記憶した最高温度に達したときに終了するように制御しても良い。
【図面の簡単な説明】
【図１】実施の形態１，２のガス炊飯器の構成を示す断面図である。
【図２】実施の形態１における保温動作開始後の制御の流れを示したフローチャートである。
【図３】実施の形態２における保温動作開始後の制御の流れを示したフローチャートである。
【図４】実施の形態２における炊飯釜２の再加熱を３分間行う場合の温度変化を示し、実線は炊飯釜２内の米飯下部の温度変化、鎖線は炊飯釜２内の米飯上部の温度変化をそれぞれ示している。
【図５】実施の形態２における再加熱による好熱性バチルス菌の生菌数（個／ｇ）の変化を示している。
【符号の説明】
１  炊飯器
２  炊飯釜
３  外容器
４  蓋体
５  ガス加熱器
６  ガスバーナ
７  電気ヒータ
８  温度センサ
９  点火装置
１０  制御装置
１１  炊飯制御部
１２  保温加熱器制御部
１３  ガス加熱器制御部
１４  メモリー
１５  保温制御部
１６  炊飯スイッチ
１７  長時間保温スイッチ
【図１】
0003857837.tif 000002
【図２】
0003857837.tif 000003
【図３】
0003857837.tif 000004
【図４】
0003857837.tif 000005
【図５】
0003857837.tif 000006